(57)【要約】      （修正有）【課題】入力操作時の利用者の手の動きと、入力部を第三者に見られたとしても、入力情報を第三者に知られないようにすることができる入力装置を提供する。【解決手段】入力装置は、複数の入力部と、それぞれの入力部の位置から音が発せられているように音を発生させる少なくとも1つの音発生部と、入力部と音発生部とを制御する制御部とを有し、制御部は、それぞれの入力部の位置に異なる音を割り当て、割り当てられた音同士の少なくとも一部を重ねて、音発生部から割り当てられた音を発生させ、入力部からの入力があった場合、入力があった入力部に割り当てられた音に対応付けされた情報を入力情報とする。【選択図】図１
2012181648.tif 000002
【特許請求の範囲】
【請求項１】
複数の入力部と、
それぞれの前記入力部の位置から音が発せられているように音を発生させる少なくとも1つの音発生部と、
前記入力部と前記音発生部とを制御する制御部とを有し、
前記制御部は、それぞれの前記入力部の位置に異なる音を割り当て、割り当てられた音同士の少なくとも一部を重ねて、前記音発生部から前記割り当てられた音を発生させる入力装置。
【請求項２】
前記制御部は、前記入力部からの入力があった場合、入力があった前記入力部に割り当てられた音に対応付けされた情報を入力情報とする請求項１に記載の入力装置。
【請求項３】
前記音発生部は、それぞれの前記入力部の位置に配置されている請求項１又は２に記載の入力装置。
【請求項４】
前記音発生部は、立体音響を生成する請求項１から３のいずれかに記載の入力装置。
【請求項５】
前記制御部は、前記音発生部から、前記割り当てられた音をほぼ同時に発生させる請求項１から４のいずれかに記載の入力装置。
【請求項６】
前記割り当てられた音は音声である請求項１から５のいずれかに記載の入力装置。
【請求項７】
前記制御部は、それぞれの前記入力部の位置にランダムに音を割り当てる請求項１から６のいずれかに記載の入力装置。
【請求項８】
それぞれの前記入力部を介して入力される情報が数字である請求項１から７のいずれかに記載の入力装置。
【請求項９】
請求項１から８のいずれかに記載の入力装置と、
前記制御部に接続された第２の制御部と、
前記第２の制御部に接続された記憶部と、を有し、
前記記憶部はパスワードを記憶し、
前記入力部に入力された入力情報を前記第２の制御部に送り、
前記第２の制御部は、前記入力情報と前記パスワードとを比較し、前記入力情報と前記パスワードとが一致するかしないかを判定する電子機器。
【請求項１０】
複数の入力部のそれぞれの位置から異なる音が発せられているように音を発するときに、前記異なる音同士の少なくとも一部を重ねて発し、
前記入力部からの入力があった場合、入力があった前記入力部に割り当てられた音に対応付けされた情報を入力情報とする入力方法。
【発明の詳細な説明】
【技術分野】
【０００１】
本発明は入力装置及び入力方法に関する。
【背景技術】
【０００２】
現金自動預け払い機（Ａｕｔｏｍａｔｅｄ  Ｔｅｌｌｅｒ  Ｍａｃｈｉｎｅ；ＡＴＭ）の暗証番号入力には、通常、「０」から「９」までの数字に対応する入力キーを用いて入力する方法が利用されている。
【０００３】
しかしながら、上述の入力方法では、ＡＴＭの利用者の肩越しに入力操作を覗き見るショルダーハックという方法や、ＡＴＭにカメラを仕掛けて入力操作を見るなどの方法により、暗証番号が盗み出されるという問題が起きている。
【０００４】
この問題を解決する技術として、特許文献１には、入力部である入力キーの配列をランダムに変更する暗号入力用端末装置が開示されている。この暗号入力用端末装置は、入力キーの配列をランダムに変更することにより、入力操作時の利用者の手の動きから第三者に暗証番号を推測されてしまうことを防止する。
【先行技術文献】
【特許文献】
【０００５】
【特許文献１】特開昭６１−２２９１６０号公報
【発明の概要】
【発明が解決しようとする課題】
【０００６】
しかしながら、特許文献１に開示された暗証番号入力装置の場合、入力部の配置をランダムに変更しているが、各入力部に対応する数字や文字そのものは入力部に表示されている。このため、入力操作時の利用者の手の動きと併せて入力部を第三者に見られると、利用者が入力した入力情報が第三者に知られてしまう、という課題があった。
【０００７】
本発明の目的は、入力操作時の利用者の手の動きと、入力部とを第三者に見られると利用者が入力した入力情報が第三者に知られてしまうという課題を解決する入力装置及び入力方法を提供することを目的とする。
【課題を解決するための手段】
【０００８】
本発明の入力装置は、複数の入力部と、それぞれの入力部の位置から音が発せられているように音を発生させる少なくとも1つの音発生部と、入力部と音発生部とを制御する制御部とを有し、制御部は、それぞれの入力部の位置に異なる音を割り当て、割り当てられた音同士の少なくとも一部を重ねて、音発生部から割り当てられた音を発生させる。
【０００９】
本発明の入力方法は、複数の入力部のそれぞれの位置から異なる音が発せられているように音を発するときに、異なる音同士の少なくとも一部を重ねて発し、入力部からの入力があった場合、入力があった入力部に割り当てられた音に対応付けされた情報を入力情報とする。
【発明の効果】
【００１０】
本発明の入力装置及び入力方法によれば、入力操作時の利用者の手の動きと、入力部を第三者に見られたとしても、入力情報を第三者に知られないようにすることができる。
【図面の簡単な説明】
【００１１】
【図１】本発明の第１の実施形態の入力装置を示す図である。
【図２】本発明の第１の実施形態の入力装置の一例を示す（ａ）平面図と、（ｂ）平面図（ａ）の２ｂ−２ｂ線断面図と、（ｃ）平面図であって、入力装置が動作している状態を示す図である。
【図３】本発明の第１の実施形態の電子機器を示す図である。
【図４】本発明の第２の実施形態の入力装置を示す図である。
【発明を実施するための形態】
【００１２】
本発明の実施形態について図面を参照して詳細に説明する。
【００１３】
〔第１の実施形態〕
図１に本発明の第１の実施形態の入力装置１００を示す。
【００１４】
入力装置１００は、複数の入力部１０２と、それぞれの入力部１０２の位置に配置された音発生部１０３と、入力部１０２と音発生部１０３とを制御する制御部１０１とを有する。制御部１０１は、それぞれの入力部１０２の位置に異なる音を割り当てる。制御部１０１は、割り当てられた音同士の少なくとも一部を重ねて、音発生部１０３から割り当てられた音を発生させる。
【００１５】
音発生部１０３はそれぞれの入力部１０２の位置に配置されているため、入力装置１００はそれぞれの入力部１０２の位置から音が発せられているように音を発生させることができる。
【００１６】
本発明の第１の実施形態の入力装置１００の具体例として、入力装置１００ａの平面図及び断面図を図２（ａ）、（ｂ）に示す。入力装置１００ａはＡＴＭに利用されることを想定したものである。
【００１７】
入力装置１００ａは、図２（ａ）に示すように、「０」から「９」までの数字のいずれかに対応する入力部１０２ａを１０個有する。入力部１０２ａに数字は表示されない。図２（ｂ）に示すように、それぞれの入力部１０２ａには音発生部１０３ａが埋め込まれている。入力部１０２ａとは、例えば、入力キーである。音発生部１０３ａとは、例えば、スピーカである。
【００１８】
次に、入力装置１００ａの動作を説明する。
【００１９】
制御部１０１（図２（ａ）には図示せず）は、「０」から「９」までの数字を、各入力部１０２ａにランダムに割り当てる。本実施形態の場合、音発生部１０３ａは入力部１０２ａに埋め込まれている。従って、各数字を各入力部１０２ａにランダムに割り当てるとは、すなわち、各数字を各音発生部１０３ａにランダムに割り当てることを意味する。
【００２０】
次に、制御部１０１は、各入力部１０２ａに配置された音発生部１０３ａに「０」から「９」までの数字の各音声をほぼ同時に発生させる。このとき、音発生部１０３ａが発する音声が意味する数字と、各音発生部１０３ａに割り当てられた数字とは同じとなる。この結果、１０個の音発生部１０３ａは「０」から「９」までの数字の音声をほぼ同時に発する。図２（ｃ）に、数字の音声が１０個の入力部１０２ａからほぼ同時に発せられている様子を示す。
【００２１】
利用者は、この数字の音声を聞き、入力したいと考えている数字を発する音発生部１０３ａの位置を特定する。そして、特定した音発生部１０３ａが配置された入力部１０２ａを用いて入力操作を行う。
【００２２】
本実施形態の入力装置１００ａは、入力部１０２ａに数字を表示せずに、各入力部１０２ａに配置された音発生部１０３ａから数字音声をほぼ同時に発生させる。この結果、音発生部１０３ａから発せられたそれぞれの数字音声は、交じり合った状態で利用者の耳に届く。そして、利用者は交じり合った複数の数字音声の中から所望の数字音声を聞き取り、その数字音声を発する音発生部１０３ａを特定する。利用者は、人が備える聴覚の選択的注意能力により、交じり合った複数の数字音声から所望の数字音声を聞き取ることができる。
【００２３】
聴覚の選択的注意能力とはカクテルパーティ効果とも呼ばれており、音源位置が異なる複数の音の中から注目する音のみを選択的に聞き取る能力のことである。多くの会話が交わされているパーティ会場にて人が特定の会話を抽出して聞き取ることができるのは、この能力に寄因する。
【００２４】
利用者は、この能力により、交じり合った複数の数字音声の中から、所望の数字を発している音発生部１０３ａを特定することができる。例えば、利用者は「３」を入力しようとする場合、複数の数字音声の中から「３」の音声のみを聞こうと意識する。すると、選択的注意能力により、「０」から「９」までの数字音声がほぼ同時に発せられた１０個の音発生部１０３ａの中から「３」の数字音声を発している音発生部１０３ａを特定することができる。
【００２５】
このとき、入力部１０２ａには数字は表示されていない。このため、利用者が入力操作をしている際に、入力した番号を盗もうとしている第三者が周囲に居たり、ＡＴＭにカメラが仕掛けられていたとしても、入力操作に用いられた入力部１０２ａ及び利用者の動作などの視覚情報から第三者が入力番号を推測することはほぼ不可能である。
【００２６】
加えて、第三者は聴覚情報から入力番号を推測することもほぼ不可能である。これは、選択的注意能力は聞き取ろうとする情報のみを聞き取ることができる能力であるためである。利用者は、「０」から「９」までの数字音声が交じり合った複数の数字音声から、入力する数字のみを聞き取ろうとするため、その数字を聞き取ることができる。一方、第三者は、聞き取ろうとすべき数字が何であるかが分からない。このため、第三者には交じり合った複数の数字音声が雑音として認識されてしまう。
【００２７】
このように、本実施形態の入力装置１００によれば、複数の入力部１０２のそれぞれの位置から異なる音が発せられているように音を発するときに、異なる音同士の少なくとも一部を重ねて発する。これにより、異なる音が交じり合い、この交じり合った音が利用者の耳に届く。利用者は、人が備える聴覚の選択的注意能力により、交じり合った音から所望の音を聞き取ることができる。このため、利用者は、所望の音を発する音発生部１０３ａを特定することができ、この音発声部１０３を有する入力部１０２を用いて入力操作を行うことができる。一方、第三者は所望の音が何であるかが分からないため、第三者には交じり合った音が雑音として認識されてしまう。従って、利用者が入力した入力情報が第三者に知られることはほぼ無いのはもちろんこと、入力操作時の利用者の手の動きと入力部とを第三者に見られたとしても、入力情報が第三者に知られることはほぼない。
【００２８】
制御部１０１は、入力部１０２からの入力があった場合、入力があった入力部１０２に割り当てられた音に対応付けされた情報を入力情報とすることができる。例えば、「３」の音声が割り当てられた入力部１０２ａから入力があった場合、制御部１０１は「３」の情報が入力されたものとすることができる。
【００２９】
入力部１０２に割り当てられる音と、その音に対応付けされた情報とは、同じものを表す方が望ましい。例えば、「３」の音声には「３」の情報を対応付けするのが望ましい。このようにすれば、「３」の音声を発する音発生部１０３が配置された入力部１０２から「３」の情報を入力することができるため、利用者は音発生部１０３が発する音に基づいて直感的に情報を入力することができるようになる。
【００３０】
制御部１０１は、それぞれの入力部の位置に異なる音を割り当て、割り当てられた音同士の少なくとも一部を重ねて、音発生部１０３から割り当てられた音を発生させれば良い。ここでいう、音同士を重ねて音発生部１０３から音を発生させるというのは、第１の音発生部１０３が音を発しているときに、第２の音発生部１０３から音を発せさせることを意味する。このように、割り当てられた音同士の少なくとも一部を重ねることにより、第三者には雑音として認識される音を生成することができる。
【００３１】
制御部１０１は、音発生部１０３から割り当てられた音をほぼ同時に発生させるのが望ましい。これにより、音発生部１０３が発する音を雑音として、より確実に第三者に認識させることができる。
【００３２】
それぞれの音発生部１０３が発する音は、人が異なる音と判断できるものであれば良い。従って、音発生部１０３が発する音は、同一種類の音であって音程や音色を変えたものであっても良い。ここでいう音の種類とは、例えば、同じ楽器から発せられる音を指す。また、それぞれの音発生部１０３が同一種類の音を発するとは、例えば、それぞれの音発生部１０３がギターの音を発することを指す。
【００３３】
音発生部１０３が発する音は、数字音声の他、アルファベット、「あ」、「い」、「う」、「え」、「お」などの文字の音声であっても良い。この場合、例えば、「あ」の音声が割り当てられた入力部１０２ａから入力があった場合、制御部１０１は「あ」の情報が入力されたものとして取扱うのが望ましい。また、音発生部１０３が発する音は、「やま」、「かわ」、「うみ」などの複数文字からなる単語の音声であっても良い。この場合、例えば、「やま」の音声が割り当てられた入力部１０２から入力があった場合、制御部１０１は「やま」の情報が入力されたものとして取扱うのが望ましい。これらの場合であっても、もちろん、文字や数字など、その入力部１０２によってどのような情報を入力できるかの情報を入力部１０２に表記することは不要である。
【００３４】
上述したように、制御部１０１はそれぞれの入力部１０２の位置にランダムに音を割り当てても良い。ランダムに音を割り当てることにより、第三者が入力番号を推測することはより困難になる。
【００３５】
制御部１０１は、それぞれの入力部１０２の位置にランダムに音を割り当てる処理を、入力部１０２へ入力がある度に行っても良い。これにより、第三者が入力番号を推測することがさらに困難となる。
【００３６】
音発生部１０３は、圧電素子などを利用した透明な振動板スピーカであっても良い。このような音発生部１０３を採用すれば、入力装置１００をタッチパネル型のインタフェースに容易に適用することができる。
【００３７】
次に本実施形態の電子機器１０５について、図３を用いて説明する。電子機器１０５には、具体的には、動作の実行に認証が必要となるＡＴＭ、コンピュータや携帯端末、防犯システムなどが含まれる。
【００３８】
図３に示すように、電子機器１０５は、入力装置１００と、制御部１０１に接続された第２の制御部１０４と、第２の制御部１０４に接続された記憶部１０６とを有する。記憶部１０４はパスワードを記憶している。入力装置１００は、入力装置１００に入力された入力情報を、制御部１０１を介して第２の制御部１０４へ送る。
【００３９】
第２の制御部１０４は、制御部１０１から受け取った入力情報と、記憶部１０４に記憶されたパスワードとを比較し、入力情報とパスワードとが一致するかしないかを判定する。第２の制御部１０４は、これらの情報が一致すると判定した場合は、その後の処理を実行し、一致しないと判定した場合は、その後の処理を実行しない。例えば、電子機器１０５がＡＴＭであった場合、入力情報とパスワードが一致すると判定した場合は、振込や入金手続の入力処理に進み、一致しないと判定した場合は、一切の手続を処理しない。
【００４０】
前述したように、入力装置１００に入力される入力情報が第三者に知られることはほぼない。このため、利用者は、第三者にパスワードを盗まれる心配することなく、入力装置１００を有する電子機器１０５を利用することができる。
【００４１】
［第２の実施形態］
次に、第２の実施形態の入力装置について説明する。本実施形態の入力装置は、複数の音を擬似的に複数の入力部のそれぞれの位置から発せられているように、入力部とは異なる位置に配置された音発生部から発せられることを特徴とする。
【００４２】
図４に本実施形態の入力装置２００を示す。入力装置２００は、複数の入力部２０２と、入力部２０２とは異なる位置に配置され、音を発生する音発生部２０３と、入力部２０２と音発生部２０３とを制御する制御部２０１とを有する。制御部２０１は、それぞれの入力部２０２の位置に異なる音を割り当てる。制御部２０１は、割り当てられた音同士の少なくとも一部を重ねて、音発生部２０３から割り当てられた音を発生させる。
【００４３】
音発生部２０３は、立体音響を生成する。これにより、音発生部２０３は、入力部２０２と音発生部２０３とが異なる位置に配置されていたとしても、それぞれの入力部２０２の位置から音が発せられているように音を発生させることができる。
【００４４】
従って、入力装置２００では入力部２０２と音発生部２０３とが異なる位置に配置されていても、利用者は、それぞれの入力部２０２に割り当てられた音をそれぞれ入力部２０２の位置から発せられているかのように聞くことができる。
【００４５】
音発生部２０３はヘッドホンであっても良い。ヘッドホンを用いれば、音発生部２０３が発した音を第三者に聞かれることなく、利用者のみに聞かせることが可能となる。これにより、第三者が入力情報を盗むのはほぼ不可能となる。
【００４６】
また、音発生部２０３は、入力部２０２とは異なる場所に配置された複数のスピーカであっても良い。この場合、複数のスピーカは、ステレオ音声やサラウンド音声などによる立体音響を生成する。
【００４７】
立体音響を生成する手法は特に限定されない。立体音響は、例えば、バイノーラル録音、再生手法などの一般的な立体音響生成手法を用いて生成される。
【００４８】
本発明は上記実施形態に限定されることなく、特許請求の範囲に記載した発明の範囲内で、種々の変形が可能であり、それらも本発明の範囲内に含まれるものであることはいうまでもない。
【００４９】
上記の実施形態の一部又は全部は、以下の付記のようにも記載されうるが、以下には限られない。
【００５０】
（付記１）複数の入力部と、それぞれの前記入力部の位置から音が発せられているように音を発生させる少なくとも1つの音発生部と、前記入力部と前記音発生部とを制御する制御部とを有し、前記制御部は、それぞれの前記入力部の位置に異なる音を割り当て、割り当てられた音同士の少なくとも一部を重ねて、前記音発生部から前記割り当てられた音を発生させる入力装置。
【００５１】
（付記２）前記制御部は、前記入力部からの入力があった場合、入力があった前記入力部に割り当てられた音に対応付けされた情報を入力情報とする付記１に記載の入力装置。
【００５２】
（付記３）前記入力部に割り当てられた音と、前記入力部に割り当てられた音に対応付けされた情報とは、同じものを表す付記１又は２に記載の入力装置。
【００５３】
（付記４）前記音発生部は、それぞれの前記入力部の位置に配置されている付記１から３のいずれかに記載の入力装置。
【００５４】
（付記５）前記音発生部は、立体音響を生成する付記１から４のいずれかに記載の入力装置。
【００５５】
（付記６）前記制御部は、前記音発生部から、前記割り当てられた音をほぼ同時に発生させる付記１から５のいずれかに記載の入力装置。
【００５６】
（付記７）前記割り当てられた音は音声である付記１から６のいずれかに記載の入力装置。
【００５７】
（付記８）前記制御部は、それぞれの前記入力部の位置にランダムに音を割り当てる付記１から７のいずれかに記載の入力装置。
【００５８】
（付記９）前記制御部は、それぞれの前記入力部にランダムに音を割り当てる処理を、前記入力部へ入力がある度に行う付記１から８のいずれかに記載の入力装置。
【００５９】
（付記１０）前記入力部に割り当てられた音は、数字の音声である付記１から９のいずれかに記載の入力装置。
【００６０】
（付記１１）それぞれの前記入力部を介して入力される情報が数字である付記１から１０のいずれかに記載の入力装置。
【００６１】
（付記１２）前記入力部に割り当てられた音は、文字の音声である付記１から９のいずれかに記載の入力装置。
【００６２】
（付記１３）前記文字は、複数文字からなる付記１２に記載の入力装置。
【００６３】
（付記１４）それぞれの前記入力部を介して入力される情報が文字である付記１から１９、１２、１３のいずれかに記載の入力装置。
【００６４】
（付記１５）前記割り当てられた音同士は、音程又は音色が異なる付記１から１４のいずれかに記載の入力装置。
【００６５】
（付記１６）前記音発生部は、圧電素子を利用した透明な振動板スピーカである付記１から１５のいずれかに記載の入力装置。
【００６６】
（付記１７）付記１から１６のいずれかに記載の入力装置と、前記制御部に接続された第２の制御部と、前記第２の制御部に接続された記憶部と、を有し、前記記憶部はパスワードを記憶し、前記入力部に入力された入力情報を前記第２の制御部に送り、前記第２の制御部は、前記入力情報と前記パスワードとを比較し、前記入力情報と前記パスワードとが一致するかしないかを判定する電子機器。
【００６７】
（付記１８）複数の入力部のそれぞれの位置から異なる音が発せられているように音を発するときに、前記異なる音同士の少なくとも一部を重ねて発し、前記入力部からの入力があった場合、入力があった前記入力部に割り当てられた音に対応付けされた情報を入力情報とする入力方法。
【符号の説明】
【００６８】
１００、１００ａ、２００    入力装置
１０１、２０１    制御部
１０２、１０２ａ、２０２    入力部
１０３、１０３ａ、２０３    音発生部
１０４、    第２の制御部
１０５    電子機器
１０６    記憶部
【図１】
2012181648.tif 000003
【図２】
2012181648.tif 000004
【図３】
2012181648.tif 000005
【図４】
2012181648.tif 000006